(57)【要約】【課題】  記録する動画のフレームレートを変更する場合に適切な再生時間の動画を記録できるようにする。【解決手段】  撮像手段により得られた動画データを記録媒体に記録する記録手段と、記録される動画データを再生したときの、所定の再生倍速に対応した再生時間をユーザの指示に応じて設定する設定手段と、設定された再生時間に基づいて、設定された再生時間の所定の再生倍速に対応したフレームレートの動画データを記録するために要する時間を所定の再生倍速に対応したフレームレートの動画データの記録時間として決定し、動画データの記録中に所定の再生倍速の動画に変更する指示があった場合、動画データのフレームレートを所定の再生倍速に対応したフレームレートに変更し、決定した記録時間の、所定の再生倍速に対応したフレームレートの動画データを自動的に記録するように制御を行う。【選択図】  図１
2018195923.tif 000002
【特許請求の範囲】
【請求項１】
撮像手段と、
前記撮像手段により得られた動画データを記録媒体に記録する記録手段と、
前記記録手段により記録される動画データを再生したときの、所定の再生倍速に対応した再生時間をユーザの指示に応じて設定する設定手段と、
前記設定手段により設定された再生時間に基づいて、前記設定された再生時間の前記所定の再生倍速に対応したフレームレートの動画データを記録するために要する時間を前記所定の再生倍速に対応したフレームレートの動画データの記録時間として決定し、前記記録手段による前記動画データの記録中に、記録される動画を前記所定の再生倍速の動画に変更するための指示があった場合、前記記録手段により記録される動画データのフレームレートを前記所定の再生倍速に対応したフレームレートに変更し、前記決定した記録時間の、前記所定の再生倍速に対応したフレームレートの動画データを自動的に記録するように制御を行うことを特徴とする記録装置。
【請求項２】
前記所定の再生倍速は１倍速以外の再生倍速であることを特徴とする請求項１に記載の記録装置。
【請求項３】
前記制御手段は、前記決定した記録時間の、前記所定の再生倍速に対応したフレームレートの動画データを記録した後、自動的に、前記記録手段により記録される動画データのフレームレートを、１倍速に対応したフレームレートに変更するように制御を行うことを特徴とする請求項２に記載の記録装置。
【請求項４】
前記制御手段は、前記記録手段による１倍速に対応したフレームレートの動画データの記録中に、前記変更するための指示があった場合、前記記録手段により記録される動画データのフレームレートを前記所定の再生倍速に対応したフレームレートに変更することを特徴とする請求項２または３に記載の記録装置。
【請求項５】
前記記録手段は、複数の所定の再生倍速に対応したフレームレートの動画データを記録することができ、
前記設定手段は、前記複数の所定の再生倍速それぞれに対応した再生時間を前記ユーザの指示に応じて設定し、
前記制御手段は、
前記設定手段により設定された再生時間に基づいて、前記設定された再生時間の前記複数の所定の再生倍速に対応したフレームレートの動画データをそれぞれ記録するために要する時間を前記所定の再生倍速に対応したフレームレートの動画データそれぞれの記録時間として決定し、
前記記録手段による前記動画データの記録中に、前記複数の所定の再生倍速の何れかの動画に変更するための指示があった場合、前記記録手段により記録される動画データのフレームレートを前記変更後の再生倍速に対応したフレームレートに変更し、前記決定した記録時間の、前記変更後の再生倍速に対応したフレームレートの動画データを自動的に記録するように制御を行うことを特徴とする請求項１に記載の記録装置。
【請求項６】
撮像手段と、
前記撮像手段により得られた動画データを記録媒体に記録する記録手段と、
所定の再生倍速に対応したフレームレートの動画データの記録時間をユーザの指示に応じて設定する設定手段と、
前記記録手段による前記動画データの記録中に、記録される動画を前記所定の再生倍速の動画に変更するための指示があった場合、前記記録手段により記録される動画データのフレームレートを前記所定の再生倍速に対応したフレームレートに変更し、前記設定手段により設定された記録時間の、前記所定の再生倍速に対応したフレームレートの動画データを自動的に記録するように制御を行うことを特徴とする記録装置。
【発明の詳細な説明】
【技術分野】
【０００１】
本発明は記録装置に関する。
【背景技術】
【０００２】
従来、撮影する動画のフレームレート（単位時間当たりのフレーム数）を切り替えることにより、動画を再生したときに特殊効果を持たせる機能を持つビデオカメラが提案されている。
【０００３】
例えば、６０フレーム毎秒（ｆｐｓ）のフレームレートで撮影し記録した動画を３０ｆｐｓのフレームレートで再生することで、１／２倍速のスローモーションの動画を再生することができる。これにより、３０フレーム／秒のフレームレートで撮影した動画を１／２倍速でスロー再生する時に比べ、より被写体の動きがなめらかな動画を再生することができる。
【０００４】
また、逆に１５ｆｐｓのフレームレートで撮影し記録した動画を３０ｆｐｓのフレームレートで再生することで、２倍速の早送りの動画を再生することができる。このように、動画の撮影時のフレームレートと再生時のフレームレートとの関係によって、様々な動画の再生速度が得られるように特殊効果を付加することができる。また、動画の記録中にフレームレートを変更する構成も提案されている（特許文献１参照）。
【先行技術文献】
【特許文献】
【０００５】
【特許文献１】特開２００６−３５２５８１
【発明の概要】
【発明が解決しようとする課題】
【０００６】
前述のように、フレームレートを任意に変更して動画を撮影した場合、動画の再生時間は、撮影時のフレームレートと再生時のフレームレートによって決まる。
【０００７】
例えば、１０秒間の動画を撮影し、３０ｆｐｓで再生する場合を考える。撮影時の動画のフレームレートが６０ｆｐｓの場合、再生時間は２０秒となる。一方、撮影時の動画のフレームレートが１５ｆｐｓの場合、再生時間は５秒となる。このように、同じ時間だけ動画を撮影した場合でも、動画の撮影および再生のフレームレートによってその再生時間が異なることになる。
【０００８】
そのため、ユーザが考えていたよりも１つのシーンの再生時間が短すぎることや、逆に長すぎるということが考えられる。特に、動画の撮影中にユーザがフレームレート変更する場合には、前記のように変更後のフレームレートによって再生時間が異なるので、ユーザは再生時間がどれだけになるのかを考えながら撮影する必要がある。
【０００９】
そのため、このようにフレームレートを変更しながらの撮影に慣れていない一般のユーザにとっては、再生したときに、ユーザが考えていたよりも再生時間が長かった、或いは、短すぎた、という状態になることがあった。
【００１０】
そこで、本発明は、このような問題を解決し、記録する動画のフレームレートを変更する場合に、適切な再生時間の動画を記録できるようにする。
【課題を解決するための手段】
【００１１】
撮像手段と、前記撮像手段により得られた動画データを記録媒体に記録する記録手段と、前記記録手段により記録される動画データを再生したときの、所定の再生倍速に対応した再生時間をユーザの指示に応じて設定する設定手段と、前記設定手段により設定された再生時間に基づいて、前記設定された再生時間の前記所定の再生倍速に対応したフレームレートの動画データを記録するために要する時間を前記所定の再生倍速に対応したフレームレートの動画データの記録時間として決定し、前記記録手段による前記動画データの記録中に、記録される動画を前記所定の再生倍速の動画に変更するための指示があった場合、前記記録手段により記録される動画データのフレームレートを前記所定の再生倍速に対応したフレームレートに変更し、前記決定した記録時間の、前記所定の再生倍速に対応したフレームレートの動画データを自動的に記録するように制御を行う。
【発明の効果】
【００１２】
以上説明したように、本発明によれば、記録する動画のフレームレートを変更する場合に、適切な再生時間の動画を記録できるようになる。
【図面の簡単な説明】
【００１３】
【図１】撮像装置の構成を示すブロック図である。
【図２】撮像部からのフレームと、記録、再生されるフレームを示す図である。
【図３】撮像部からのフレームと、記録、再生されるフレームを示す図である。
【図４】撮像部からのフレームと、記録、再生されるフレームを示す図である。
【図５】再生倍速に対応した記録時間の情報を示す図である。
【図６】記録処理を示すフローチャートである。
【図７】再生倍速に対応した記録時間の情報を示す図である。
【発明を実施するための形態】
【００１４】
以下、図面を参照して本発明の実施例を詳細に説明するが、この発明は以下の実施の形態に限定されない。
【００１５】
＜第１の実施形態＞
図１は、本発明の実施形態としての記録装置が適用された撮像装置１００の構成を示す図である。図１は撮像装置１００の全体構成を示すブロック図である。図１において、撮像部１０１は、撮影レンズや撮像素子を有し、被写体の光学像を画像信号に変換し、アナログデジタル変換をして出力する。撮像部１０１は、１フレームが４Ｋ（水平３８４０画素×垂直２１８０画素）の動画データを出力する。また、撮像部１０１は、後述のように、フレームレートが２４０ｆｐｓ及びそれ以下の動画データを出力することが可能である。画像処理部１０２は、入力された画像信号に対して公知の現像処理やホワイトバランス調整などの各種の処理を行い出力する。
【００１６】
音声入力部１０３は撮像装置１００の周辺の音声を取得して出力する。音声処理部１０４は、音声入力部１０３から入力された音声信号をデジタル信号に変換し、出力する。メモリ１０５は、画像処理部１０２、音声処理部１０４により得られた画像信号及び音声信号、或いは符号化された画像信号や音声信号などを一時的に記憶する。
【００１７】
符号化処理部１０６は、記録時においては、メモリ１０５に一時的に記憶された画像信号や音声信号を読み出して画像信号の符号化、音声信号の符号化などを行い、圧縮画像データ、圧縮音声データ等を生成する。また、再生時においては、再生された動画データや音声データを復号して出力する。記録再生部１０７は、記録時においては、符号化処理部１０６で生成された圧縮画像データ、圧縮音声データ、その他必要なデータを記録媒体１０８記録媒体に記録する。また、記録再生部１０７は、再生時においては、記録媒体１０８に記録された各データを読み出して出力する。また、記録再生部１０７は、記録媒体１０８に記録された各データをｅｘＦＡＴなどのファイルシステムに従い、ファイルとして管理する。また、本実施形態では、動画データや音声データを、ＭＰ４、ＭＯＶなどの公知のコンテナ形式に従って記録する。
【００１８】
記録媒体１０８は、メモリカードなどのランダムアクセスの記録媒体である。記録媒体１０８は、不図示の装着・排出機構により撮像装置１００に対して容易に排出、装着することができる。表示制御部１０９は、記録時においては撮像部１０１により得られた動画像やその他撮像装置１００の操作のために必要な情報を表示部１１０に表示する。また、再生時には再生された動画像などを表示部１１０に表示する。表示部１１０は、液晶ディスプレイ、有機ＥＬディスプレイ、電子ペーパー等の表示デバイスを含む。
【００１９】
操作部１１２は、ボタンやダイヤルなどを含み、ユーザの操作に応じて、指示信号を制御部１１１に送信する。操作部１１２は、例えば、電源ボタン、記録開始ボタン、メニュー表示ボタン、決定ボタン、カーソルキー、表示部１１０の任意の点を指定するためのポインティングデバイス、タッチパネル等を含む。制御部１１１は、操作部１１２から送信された指示信号に基づいて、撮像装置１００の各部を制御する。制御部１１１は、各種処理（プログラム）を実行するための例えば、ＣＰＵ（ＭＰＵ）、メモリ（ＤＲＡＭ、ＳＲＡＭ）などからなる。出力部１１３は、撮像部１０１により得られた動画データ、或いは、再生された動画データを、外部の記録装置や表示装置などに出力する。バス１１４は、各種データ、制御信号などを各部の間で転送する。
【００２０】
次に、撮像装置１００の記録処理について説明する。ユーザが操作部１１２を操作して、撮像装置１００の電源をオンにすると、制御部１１１は撮像装置１００を記録待機状態にする。記録待機状態において、撮像部１０１は動画データを出力し、画像処理部１０２は出力された動画データを処理してメモリ１０５に記憶する。表示制御部１０９は、メモリ１０５より動画データを読み出して、表示部１１０に表示する。このように、記録待機状態では、撮像部１０１により得られた動画がライブビュー画像として表示部１１０に表示される。ユーザは、記録待機状態において、撮像装置１００の記録モードなどを設定することができる。
【００２１】
本実施形態では、撮像装置１００は、通常の記録モードを持つ。通常の記録モードにおいては、ユーザによる記録開始の指示に応じて動画の記録が開始され、記録停止の指示に応じて動画の記録が停止される。また、通常の記録モードでは、記録開始から記録停止までの間、記録される動画のフレームレートは同じであり、ユーザが変更することができない。また、通常の記録モードで記録される動画データのフレームレートは６０ｆｐｓである。
【００２２】
まず、通常の記録モードの処理について説明する。記録待機状態において、操作部１１２が操作され、動画の記録開始の指示があると、制御部１１１は、各部を制御して動画と音声の記録を開始する。
【００２３】
撮像部１０１は、６０ｆｐｓの動画データを出力する。撮像部１０１からの動画データは画像処理部１０２により処理され、一旦メモリ１０５に記憶される。また、音声入力部１０３により取得された音声データは音声処理部１０４により処理されてメモリ１０５に記憶される。
【００２４】
符号化処理部１０８は、メモリ１０５に記憶された動画データや音声データを符号化し、メモリ１０５に記憶する。記録再生部１０７は、メモリ１０５から、符号化された動画データと音声データとを読み出し、記録媒体１０８に記録する。このように記録媒体１０８に記録が行われ、ユーザにより記録停止の指示があると、制御部１１１は、各部を制御して記録を停止する。
【００２５】
また、撮像装置１００は、記録開始から記録停止までの間に、記録される動画のフレームレートをユーザの指示により変更することができる、所定の記録モードを持つ。以下、この所定の記録モードを再生倍速変更モードと呼ぶ。
【００２６】
再生倍速変更モードにおいて、ユーザは、動画の記録中に操作部１１２を操作することにより、記録される動画の再生時の再生倍速の変更を指示することができる。本実施形態では、記録された動画データを再生する際には、再生された動画データを所定の再生フレームレートで表示する。所定の再生フレームレートを６０ｆｐｓとする。そのため、再生フレームレートと同じ６０ｆｐｓの動画を１倍速の動画とする。
【００２７】
再生倍速切り替えモードにおいて、ユーザは、動画の記録中に、１／４倍速、１／２倍速、１倍速、２倍速、４倍速、の何れかの再生倍速を指定することにより、記録される動画の再生倍速の変更を指示することができる。
【００２８】
記録された動画のフレームレートが２４０ｆｐｓの場合、１／４倍速のスロー再生（低速）画像として表示部１１０に表示される。また、記録された動画のフレームレートが１５ｆｐｓの場合、４倍速のファスト再生（高速）画像として表示部１１０に表示される。
【００２９】
即ち、１／４倍速に対応したフレームレートは２４０ｆｐｓであり、４倍速に対応したフレームレートは１５ｆｐｓである。同じく、１／２倍速に対応したフレームレートが１２０ｆｐｓであり、１／２倍速に対応したフレームレートが３０ｆｐｓである。
【００３０】
また、撮像装置１００は、再生倍速変更モードにおいて、ユーザにより再生倍速の変更が指示されると、変更後の再生倍速に対応したフレームレートの動画データを所定期間、自動的に記録する。その後、自動的に１倍速の動画データの記録に戻す。
【００３１】
更に、ユーザは、記録する動画の再生倍速を変更した際に、変更後の再生倍速の動画を再生したときの再生時間を、再生倍速毎に任意に設定することができる。撮像装置１００は、ユーザにより設定された再生時間と、各再生倍速に対応したフレームレートに基づいて、変更後の再生倍速に対応したフレームレートの動画データを記録するための前述の所定期間（時間長、長さ）を決定する。
【００３２】
図５は、各再生倍速に対して設定された再生時間の例と、設定された再生時間の各再生倍速の動画を記録するために要する記録時間長を示している。例えば、図５のように、４倍速の動画の再生時間として５秒が設定された場合、再生時間が５秒分の４倍速の動画を記録するためには、５秒間の４倍の２０秒間、４倍速の動画を記録する必要がある。そのため、２０秒が記録時間長となる。そして、再生倍速変更モードにおいて、４倍速への変更指示があった場合、撮像装置１００は、４倍速に対応した１５ｆｐｓの動画を２０秒間記録する。その後、１倍速に対応した６０ｆｐｓの動画に戻す。
【００３３】
また、１／４倍速の動画の記録時間として１６秒が設定された場合、再生時間が１６秒分の１／４倍動画を記録するためには、１６秒の１／４倍の４秒間、１／４倍速の動画を記録する必要がある。そのため、４秒が記録時間長となる。そして、再生倍速変更モードにおいて、１／４倍速への変更指示があった場合、撮像装置１００は、１／４倍速に対応した２４０ｆｐｓの動画を４秒間記録する。その後、１倍速に対応した６０ｆｐｓの動画に戻す。
【００３４】
ユーザは、記録待機状態において操作部１１２を操作することにより、図５に示す、各再生倍速の動画を記録したときの再生時間を任意に設定することができる。制御部１１１は、ユーザにより設定された再生時間をメモリ１０５に記憶すると共に、設定された再生時間に基づいて、各再生倍速の記録時間を求め、メモリ１０５に記憶する。
【００３５】
そして、制御部１１１は、動画の記録中に再生倍速の変更指示があると、変更後の再生倍速に対応した記録時間分の、変更後の再生倍速に対応したフレームレートの動画を記録するように各部を制御する。また、ユーザが再生時間を設定しない場合、制御部１１１は、所定の再生時間を設定する。制御部１１１は、ユーザにより記録開始の指示を受ける前に、前述のように各再生倍速に対応した動画の記録時間を算出して、メモリ１０５に記憶する。
【００３６】
なお、再生倍速変更モードにおいては、動画だけが記録され、音声は記録されない。この理由は、再生倍速変更モードで記録された動画を再生する際には、途中で再生倍速が大きく変わる可能性があり、その場合には、音声が正常に聞こえなくなるためである。
【００３７】
次に、再生倍速変更モードにおいて記録される動画について説明する。再生倍速変更モードにおいて、制御部１１１は、２４０ｆｐｓの動画データを出力するように撮像部１０１を制御する。撮像部１０１は、再生倍速変更モードでは、２４０ｆｐｓの動画データを画像処理部１０２に出力する。そして、制御部１１１は、画像処理部１０２を制御し、記録される動画の再生倍速に応じて、この２４０ｆｐｓの動画データから一部のフレームを間引くことにより、記録される動画データのフレームレートを変更する。
【００３８】
図２は、１倍速の動画を記録する際の、撮像部１０１からの動画のフレームと、記録、再生されるフレームを示す図である。図中の番号はフレームの順番（番号）を示している。図２（Ａ）に示すように、撮像部１０１からは２４０ｆｐｓの動画が出力される。１倍速の動画のフレームレートは６０ｆｐｓである。そのため、図２（Ａ）の２４０ｆｐｓの動画の４フレームごとに３フレームを間引くことで、６０ｆｐｓの動画データを得る。言い換えれば、４フレームごとに１フレームの動画が取り出されて記録される。記録される動画は図２（Ｂ）に示すように６０ｆｐｓとなる。再生時には、図２（Ｃ）に示すように、６０ｆｐｓで表示されるので、１倍速の動画として表示される。
【００３９】
図３は、１／２倍速の動画への変更が指示された場合の、撮像部１０１からの動画のフレームと、記録されるフレームを示す図である。図３（Ａ）に示すように、撮像部１０１からは２４０ｆｐｓの動画が出力される。１／２倍速の動画のフレームレートは１２０ｆｐｓである。そのため、３０１の時点で１／２倍速への変更指示があると、図３（Ａ）の２４０ｆｐｓの動画の２フレームごとに１フレームを間引くことで、１２０ｆｐｓの動画データを得る。記録される動画は図３（Ｂ）に示すように１２０ｆｐｓとなる。再生時には、図３（Ｃ）に示すように、６０ｆｐｓで表示されるので、１／２倍速の動画として表示される。
【００４０】
図４は、２倍速の動画への変更が指示された場合の、撮像部１０１からの動画のフレームと、記録されるフレームを示す図である。図４（Ａ）に示すように、撮像部１０１からは２４０ｆｐｓの動画が出力される。２倍速の動画のフレームレートは３０ｆｐｓである。そのため、３０１の時点で２倍速への変更指示があると、図３（Ａ）の２４０ｆｐｓの動画の８フレームごとに７フレームを間引くことで、１２０ｆｐｓの動画データを得る。言い換えれば、８フレームごとに１フレームの動画が取り出されて記録される。記録される動画は図４（Ｂ）に示すように３０ｆｐｓとなる。再生時には、図４（Ｃ）に示すように、６０ｆｐｓで表示されるので、２倍速の動画として表示される。
【００４１】
次に、再生倍速変更モードの処理について、図６のフローチャートを用いて説明する。図６は再生倍速変更モードの処理を示すフローチャートである。図６の処理は、制御部１１１が各部を制御することにより実行される。
【００４２】
記録待機状態において、操作部１１２が操作され、動画の記録開始の指示があると、図６の処理が開始される。記録の指示があると、制御部１１１は、前述のように、２４０ｆｐｓの動画データを出力するように撮像部１０１を制御する。撮像部１０１は、２４０ｆｐｓの動画データを出力する。撮像部１０１からの動画データは画像処理部１０２に入力される。制御部１１１は、記録開始後、ユーザによる再生倍速の変更指示があるまでは、１倍速の動画を記録するために、画像処理部１０２に対し、６０ｆｐｓの動画を出力するように指示する。
【００４３】
画像処理部１０２は、図２を用いて説明したように、撮像部１０１からの動画データの４フレームに１フレームを取り出すことにより６０ｆｐｓの動画データを生成し、メモリ１０５に出力する。メモリ１０５に記憶された動画データは符号化処理部１０５により符号化され、記録再生部１０７により記録媒体１０８に記録される（Ｓ６０１）。
【００４４】
このように１倍速に対応した動画データの記録を開始した後、制御部１１１は、１倍速に対応した動画の記録中であるか否かを判別する（Ｓ６０２）。記録開始後、再生倍速の変更指示を受けるまでは１倍速に対応した動画の記録中となる。１倍速に対応した動画の記録中である場合、制御部１１１は、操作部１１２から、記録中の動画の再生倍速の変更指示を受けたか否かを判別する（Ｓ６０３）。
【００４５】
なお、本実施形態では、再生倍速変更モードにおける記録中に、表示部１１２に対し、変更後の再生倍速を指示するためのボタンを表示する。表示部１１２は例えばタッチパネルを備えており、ユーザは操作部１１２を操作して、変更後の再生倍速に対応したボタンを操作することにより、記録中の動画の再生倍速の変更を指示することができる。
【００４６】
再生倍速の変更指示を受けた場合、制御部１１１は、ユーザにより指定された、変更後の再生倍速に対応した動画データの記録に切り替える。即ち、制御部１１１は、画像処理部１０２に対して、変更後の再生倍速に対応した動画のフレームレートを知らせる。画像処理部１０２は、制御部１１１から指示されたフレームレートに基づいて、撮像部１０１からの動画データのフレームを間引くことにより、指定されたフレームレートの動画データを生成して出力する。変更後のフレームレートの動画データは符号化処理部１０５により符号化され、記録再生部１０７により記録媒体１０８に記録される（Ｓ６０４）。また、制御部１１１は、変更後の再生倍速に対応した動画の記録開始からの経過時間を計測する。
【００４７】
次に、制御部１１１は、操作部１１２より記録停止の指示を受けたか否かを判別する（Ｓ６０５）。記録停止の指示があった場合、制御部１１１は、各部を制御して動画の記録を停止する（Ｓ６０６）。記録停止の指示がない場合には、Ｓ６０２に戻って処理を継続する。
【００４８】
再生倍速の変更指示があり、変更後の再生倍速に対応した動画が記録されている場合、Ｓ６０２においては、１倍速に対応した動画の記録中ではないと判定される。そのため、制御部１１１は、記録中の動画の再生倍速に対応した記録時間をメモリ１０５から読み出し、変更後の再生倍速に対応した動画の記録開始からの経過時間が、設定された記録時間に達したか否かを判別する（Ｓ６０７）。記録時間に達していない場合にはそのまま記録を継続する。また、記録時間に達したと判別された場合、制御部１１１は、記録する動画を１倍速に対応した動画に戻す。そのため制御部１１１は、画像処理部１０２に対して、１倍速の動画を出力するように指示する。画像処理部１０２は、制御部１１１からの指示に応じて、撮像部１０１からの動画データから６０ｆｐｓの動画データを生成して出力する。そして、この６０ｆｐｓの動画データが記録媒体１０８に記録される（Ｓ６０８）。
【００４９】
次に、制御部１１１は、操作部１１２より記録停止の指示を受けたか否かを判別する（Ｓ６０５）。記録停止の指示があった場合、制御部１１１は、各部を制御して動画の記録を停止する（Ｓ６０６）。記録停止の指示がない場合には、Ｓ６０２に戻って処理を継続する。
【００５０】
次に、再生時の処理を説明する。ユーザが操作部１１２を操作して、再生モードを指示すると再生モードとなる。制御部１１１は、記録再生部１０７、表示制御部１０９を制御して、記録媒体１０８に記録された各動画ファイルの代表画像（サムネイル画像）を表示部１１０に表示する。
【００５１】
ユーザは操作部１１２を操作して、所望の動画ファイルに対応した代表画像を選択して再生を指示する。制御部１１１は、再生指示があると、指定された動画ファイルを再生するように記録再生部１０７に指示する。記録再生部１０７は、指定された動画ファイルを記録媒体１０８から読み出し、メモリ１０５に記憶する。
【００５２】
符号化処理部１０６は、メモリ１０５から符号化された動画データを読み出して復号し、再度メモリ１０５に記憶する。表示制御部１０９は、復号された動画データの各フレームをメモリ１０５から読み出し、表示部１１０に表示する。この際、表示制御部１０９は、再生された動画データを６０ｆｐｓのフレームレートで表示する。
【００５３】
そのため、再生倍速変更モードで記録された動画データを再生した場合には、１倍速以外の再生倍速に対応したフレームレートで記録された動画データは、それぞれの再生倍速で表示される。また、通常の記録モードで記録された動画データは、１倍速で表示される。
【００５４】
このように、本実施形態では、再生倍速変更モードでは、動画の記録中に、ユーザによる再生倍速の変更指示があると、変更後の再生倍速に対応したフレームレートの動画を記録する。そして、変更後の再生倍速に対応したフレームレートの動画を、設定された再生時間に基づいて決められた記録時間分だけ自動的に記録する。
【００５５】
そのため、動画の記録中であっても、簡単に、設定された再生時間分の、各再生倍速に対応したフレームレートの動画に切り替えて記録することが可能となる。
【００５６】
なお、本実施形態では、再生倍速変更モードにおける記録中に、表示部１１２に対し、変更後の再生倍速を指示するためのボタンを表示し、ユーザが変更後の再生倍速に対応したボタンを操作する構成としたがこれ以外の構成も可能である。例えば、再生倍速の代わりに変更後のフレームレートを示す情報を表示し、ユーザが変更後のフレームレートを指示する構成でもよい。また、再生倍速と共にフレームレートの情報を表示する構成としてもよい。
【００５７】
また、再生倍速変更モードにおいては、４種類の所定の再生倍速の何れかに変更する構成としたが、再生倍速の種類をこれよりも多くしてもよいし、また、少なくしてもよい。
【００５８】
また、再生倍速変更モードにおいては、撮像部１０１が２４０ｆｐｓの動画を出力し、画像処理部１０２において、記録される動画のフレームレートに応じてフレームを間引く構成であったが、他の構成でもよい。例えば、撮像部１０１が適切に撮像素子からの画像の読み出し速度を変更可能であれば、撮像部１０１が出力する動画データのフレームレートを、各再生倍速に応じて変更する構成でもよい。
【００５９】
更に、画像処理部１０２がフレームを間引く構成ではなく、複数の前後のフレームを合成することにより、各再生倍速に対応したフレームレートの動画データを生成する構成でもよい。
【００６０】
また、記録された動画データの再生時のフレームレートである所定の再生フレームレートを６０ｆｐｓとしたが、これ以外のフレームレートとしてもよい。また、再生倍速変更モードでは音声を記録しない構成としたが、１倍速に対応した６０ｆｐｓの動画を記録しているときは音声を記録し、他の再生倍速の動画を記録しているときは音声を記録しない構成としてもよい。
【００６１】
＜第２の実施形態＞
次に、第２の実施形態を説明する。第２の実施形態においても、撮像装置１００の基本的な構成や記録、再生モードの処理は第１の実施形態と同様である。第１の実施形態では、再生倍速変更モードにおける各再生倍速に対応した動画の再生時間をユーザが設定する構成であった。第２の実施形態では、再生倍速変更モードにおける各再生倍速に対応した記録時間長をユーザが設定する構成としている。
【００６２】
ユーザは、記録待機状態において操作部１１２を操作することにより、各再生倍速の動画の記録時間を任意に設定することができる。ユーザが記録時間を設定する際、制御部１１１は、ユーザが入力した記録時間分の各再生倍速の動画を再生した時の再生時間を算出する。そして、ユーザが入力している記録時間と共に、その再生時間の情報を設定画面に表示する。
【００６３】
これにより、ユーザは、入力した記録時間分の各再生倍速の動画の再生時間がどのくらいになるのかを、容易に確認しながら記録時間を設定することができる。
【００６４】
ユーザが各再生倍速の記録時間を入力し、設定を指示すると、制御部１１１は、設定された記録時間の情報を、各再生倍速に対応づけてメモリ１０５に記憶する。メモリ１０５に記憶された再生倍速と記録時間の情報を図７に示す。
【００６５】
そして、制御部１１１は、動画の記録中に再生倍速の変更指示があると、変更後の再生倍速に対応した記録時間分の、変更後の再生倍速に対応したフレームレートの動画を記録するように各部を制御する。また、ユーザが記録時間を設定しない場合、制御部１１１は、所定の記録時間を設定する。制御部１１１は、ユーザにより記録開始の指示を受ける前に、前述のように各再生倍速に対応した動画の記録時間を設定し、メモリ１０５に記憶する。
【００６６】
以降の処理は第１の実施形態と同様である。
【００６７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００６８】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００６９】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００７０】
その場合、プログラムの機能を有していれば、オブジェクトコード、インタプリタにより実行されるプログラム、ＯＳに供給するスクリプトデータ等、プログラムの形態を問わない。
【００７１】
プログラムを供給するための記録媒体としては、例えば、ハードディスク、磁気テープ等の磁気記録媒体、光／光磁気記憶媒体、不揮発性の半導体メモリでもよい。
【００７２】
また、コンピュータネットワーク上のサーバに本発明を形成するコンピュータプログラムを記憶し、接続のあったクライアントコンピュータはがコンピュータプログラムをダウンロードしてプログラムするような方法も考えられる。
【図１】
2018195923.tif 000003
【図２】
2018195923.tif 000004
【図３】
2018195923.tif 000005
【図４】
2018195923.tif 000006
【図５】
2018195923.tif 000007
【図６】
2018195923.tif 000008
【図７】
2018195923.tif 000009